(57)【要約】【課題】マイクへのスピーカの影響を低減しながら、スピーカとマイクを同一筐体に収納したスピーカ・マイク一体型の緊急通報システム用ハンズフリー通話装置を提供する。【解決手段】通話装置２０は、マイクＭを、筐体３０の幅方向の中心線ＣＬを対称軸とする軸対称の位置に配置されたマイクＭ１，Ｍ２と、スピーカＳＰに対してマイクＭ１，Ｍ２よりも近い中心線ＣＬ上の位置に配置されたマイクＭ３とで構成し、マイクＭ１，Ｍ３に接続され、中心線ＣＬとは垂直な２方向の指向性が強く、中心線ＣＬに沿った２方向の指向性が弱い双指向性１０２ｃを形成するビームフォーマ部１０２と、ビームフォーマ部１０２とマイクＭ３に接続され、ビームフォーマ部１０２から出力された音声信号からマイクＭ３から出力された音声信号を除去するエコーキャンセル部１０３とを設けた音声処理部１００をさらに備える。【選択図】図１６
2018014588.tif 000002
【特許請求の範囲】
【請求項１】
車室内に設置される筐体と、前記筐体に収納され、前記筐体の一面から通話相手の受話音声を出力するスピーカと、前記筐体に収納され、前記筐体の前記一面から音声を集音するマイクとを備え、前記マイクは、前記スピーカの振動板の中心から径方向に延びる１本の線分を対称軸とする軸対称の位置に配置された第１，第２の無指向性マイクと、前記スピーカに対して前記第１，第２の無指向性マイクよりも近い前記対称軸上の位置に配置された第３の無指向性マイクとで構成され、前記第１，第２の無指向性マイクに接続され、前記対称軸とは垂直な２方向の指向性が強く、前記対称軸に沿った２方向の指向性が弱い双指向性を形成するビームフォーマ部と、前記ビームフォーマ部と前記第３の無指向性マイクに接続され、前記ビームフォーマ部から出力された音声信号から前記第３の無指向性マイクから出力された音声信号を除去するエコーキャンセル部とを設けた音声処理部をさらに備えることを特徴とする緊急通報システム用ハンズフリー通話装置。
【請求項２】
前記筐体は、前記車室内における左右サンバイザの間の天井中央部において、前記筐体の前記一面が下方に向き、前記マイクが前記スピーカの後方に位置し、前記対称軸が車両の前後方向に延びる状態で配置されることを特徴とする請求項１に記載の緊急通報システム用ハンズフリー通話装置。
【請求項３】
前記筐体の前記一面には、前記スピーカの前記振動板に対向する位置に設けられた放音孔と、前記マイクを収納するマイク収納凹部と、前記マイク収納凹部を覆うマイクカバーと、前記マイクカバーに設けられた集音孔とを設けることを特徴とする請求項１に記載の緊急通報システム用ハンズフリー通話装置。
【請求項４】
前記マイク収納凹部には、前記マイクを個別に収納する第１，第２，第３のマイク収納部を設けることを特徴とする請求項３に記載の緊急通報システム用ハンズフリー通話装置。
【請求項５】
前記マイクの外周に嵌着された状態で前記マイクと共に前記第１，第２，第３のマイク収納部に収納され、前記マイクの外周面と前記第１，第２，第３のマイク収納部の内周面との間に挟み込まれる弾性材からなるマイクホルダを設けることを特徴とする請求項４に記載の緊急通報システム用ハンズフリー通話装置。
【請求項６】
前記マイクカバーに、前記マイクを個別に収納する第１，第２，第３のマイク収納部を、前記マイクカバーの内面から突出した状態で設け、前記マイクカバーの前記マイク収納凹部への固定用に、両面に粘着性を設けたクッション材を設け、前記マイク収納凹部と前記マイクカバーの間に隙間を設けることを特徴とする請求項３に記載の緊急通報システム用ハンズフリー通話装置。
【請求項７】
前記マイク収納凹部に嵌合可能な通気性を有するクッション材を設け、前記クッション材に、前記マイクを個別に収納する第１，第２，第３のマイク収納部を設けることを特徴とする請求項３に記載の緊急通報システム用ハンズフリー通話装置。
【請求項８】
前記マイクは、前記マイクの振動板が、前記スピーカの前記振動板の振動方向とは垂直な２方向に振動する状態で設置することを特徴とする請求項１に記載の緊急通報システム用ハンズフリー通話装置。
【発明の詳細な説明】
【技術分野】
【０００１】
本発明は、緊急通報システム用ハンズフリー通話装置に関し、特にスピーカとマイクを同一筐体に収納したスピーカ・マイク一体型の緊急通報システム用ハンズフリー通話装置に関する。
【背景技術】
【０００２】
車両又は乗員に緊急事態が生じた場合、緊急通報センタと通話回線を接続する緊急通報システムが知られている（例えば、特許文献１参照。）。このような緊急通報システムでは、車両の乗員が、車室内に設置されたスピーカとマイクを用いてハンズフリーで、緊急通報センタのオペレータと通話できるが、スピーカから出る通話音がマイクに回り込むと、時間遅れを伴って通話相手にエコーとして戻っていき、通話しづらくなるため、適応フィルタを用いたエコーキャンセラが用いられている。
【０００３】
また、このような緊急通報システムでは、車室内にスピーカとマイクが別々に設置され、車種によりスピーカとマイクの間の距離が異なるため、エコーキャンセラなどの音声処理を車種に合わせて調整する必要があった。
【０００４】
そこで、このような緊急通報システムでは、スピーカとマイクを同一筐体に収納したスピーカ・マイク一体型であって、車種に関係なくスピーカとマイクの間の距離が一定に固定され、音声処理を車種に合わせて調整する必要のない緊急通報システム用ハンズフリー通話装置が求められている。
【先行技術文献】
【特許文献】
【０００５】
【特許文献１】特開２００９−２９０７８９号公報
【発明の概要】
【発明が解決しようとする課題】
【０００６】
しかし、このようなスピーカとマイクを同一筐体に収納したスピーカ・マイク一体型の緊急通報システム用ハンズフリー通話装置では、スピーカとマイクの間の距離が短いため、スピーカからマイクに回り込むエコーが増大し、エコーキャンセラの制御が困難になる。また、スピーカからの振動が筐体を介してマイクに伝わりやすい。このように、スピーカとマイクを同一筐体に収納したスピーカ・マイク一体型の緊急通報システム用ハンズフリー通話装置では、マイクがスピーカの影響を強く受けて音質が劣化しやすいという問題がある。
【０００７】
本発明は、このような問題に鑑みてなされたもので、その目的は、マイクへのスピーカの影響を低減しながら、スピーカとマイクを同一筐体に収納したスピーカ・マイク一体型の緊急通報システム用ハンズフリー通話装置を提供することにある。
【課題を解決するための手段】
【０００８】
１．車室内に設置される筐体と、前記筐体に収納され、前記筐体の一面から通話相手の受話音声を出力するスピーカと、前記筐体に収納され、前記筐体の前記一面から音声を集音するマイクとを備え、前記マイクは、前記スピーカの振動板の中心から径方向に延びる１本の線分を対称軸とする軸対称の位置に配置された第１，第２の無指向性マイクと、前記スピーカに対して前記第１，第２の無指向性マイクよりも近い前記対称軸上の位置に配置された第３の無指向性マイクとで構成され、前記第１，第２の無指向性マイクに接続され、前記対称軸とは垂直な２方向の指向性が強く、前記対称軸に沿った２方向の指向性が弱い双指向性を形成するビームフォーマ部と、前記ビームフォーマ部と前記第３の無指向性マイクに接続され、前記ビームフォーマ部から出力された音声信号から前記第３の無指向性マイクから出力された音声信号を除去するエコーキャンセル部とを設けた音声処理部をさらに備えることを特徴とする緊急通報システム用ハンズフリー通話装置。
この緊急通報システム用ハンズフリー通話装置によれば、音声処理部は、第１，第２の無指向性マイクに接続されたビームフォーマ部によって対称軸とは垂直な２方向の指向性が強く、対称軸に沿った２方向の指向性が弱い双指向性を形成するので、すなわち、マイクのスピーカ方向の指向性を弱めるので、スピーカからマイクに回り込むエコーを低減することができる。さらに、音声処理部は、ビームフォーマ部と第３の無指向性マイクに接続されたエコーキャンセル部によってビームフォーマ部から出力された音声信号から第３の無指向性マイクから出力された音声信号を除去するので、乗員が発声した音声のみを高品質に抽出することができる。
２．前記筐体は、前記車室内における左右サンバイザの間の天井中央部において、前記筐体の前記一面が下方に向き、前記マイクが前記スピーカの後方に位置し、前記対称軸が車両の前後方向に延びる状態で配置されることを特徴とする１に記載の緊急通報システム用ハンズフリー通話装置。
この緊急通報システム用ハンズフリー通話装置によれば、車室内における左右サンバイザの間の天井中央部から見て、前後方向の指向性が弱まり、左右方向の指向性が強まるので、運転席および助手席の乗員の音声を集音することができる。
３．前記筐体の前記一面には、前記スピーカの前記振動板に対向する位置に設けられた放音孔と、前記マイクを収納するマイク収納凹部と、前記マイク収納凹部を覆うマイクカバーと、前記マイクカバーに設けられた集音孔とを設けることを特徴とする１に記載の緊急通報システム用ハンズフリー通話装置。
この緊急通報システム用ハンズフリー通話装置によれば、マイクは、筐体の一面側からマイク収納凹部に収納することができるので、組み立てが簡単になる。
４．前記マイク収納凹部には、前記マイクを個別に収納する第１，第２，第３のマイク収納部を設けることを特徴とする３に記載の緊急通報システム用ハンズフリー通話装置。
この緊急通報システム用ハンズフリー通話装置によれば、マイクの位置決めを容易に行うことができる。
５．前記マイクの外周に嵌着された状態で前記マイクと共に前記第１，第２，第３のマイク収納部に収納され、前記マイクの外周面と前記第１，第２，第３のマイク収納部の内周面との間に挟み込まれる弾性材からなるマイクホルダを設けることを特徴とする４に記載の緊急通報システム用ハンズフリー通話装置。
この緊急通報システム用ハンズフリー通話装置によれば、筐体を介してマイクに伝わるスピーカからの振動をマイクホルダによって低減することができる。
６．前記マイクカバーに、前記マイクを個別に収納する第１，第２，第３のマイク収納部を、前記マイクカバーの内面から突出した状態で設け、前記マイクカバーの前記マイク収納凹部への固定用に、両面に粘着性を設けたクッション材を設け、前記マイク収納凹部と前記マイクカバーの間に隙間を設けることを特徴とする３に記載の緊急通報システム用ハンズフリー通話装置。
この緊急通報システム用ハンズフリー通話装置によれば、筐体を介してマイクに伝わるスピーカからの振動をクッション材によって低減することができる。
７．前記マイク収納凹部に嵌合可能な通気性を有するクッション材を設け、前記クッション材に、前記マイクを個別に収納する第１，第２，第３のマイク収納部を設けることを特徴とする３に記載の緊急通報システム用ハンズフリー通話装置。
この緊急通報システム用ハンズフリー通話装置によれば、筐体を介してマイクに伝わるスピーカからの振動をクッション材によって低減することができる。
８．前記マイクは、前記マイクの振動板が、前記スピーカの前記振動板の振動方向とは垂直な２方向に振動する状態で設置することを特徴とする１に記載の緊急通報システム用ハンズフリー通話装置。
この緊急通報システム用ハンズフリー通話装置によれば、筐体を介してマイクに伝わるスピーカからの振動によるマイクへの影響を低減することができる。
【発明の効果】
【０００９】
本発明によれば、マイクへのスピーカの影響を低減しながら、スピーカとマイクを同一筐体に収納したスピーカ・マイク一体型の緊急通報システム用ハンズフリー通話装置を提供することができる。
【図面の簡単な説明】
【００１０】
【図１】緊急通報システムの概略構成図である。
【図２】緊急通報装置のブロック図である。
【図３】実施例１の通話装置の設置状態を示す図である。
【図４】（Ａ）は通話装置の正面を上に向けた状態で上方から見た分解斜視図、（Ｂ）は通話装置の正面を上に向けた状態で下方から見た分解斜視図である。
【図５】通話装置の正面図である。
【図６】通話装置の側面図である。
【図７】図５のＡ−Ａ断面図である。
【図８】図５のＢ−Ｂ断面図である。
【図９】図５のＣ−Ｃ断面図である。
【図１０】第１、第２、第３の無指向性マイクの構成を示す断面図である。
【図１１】通話装置の正面を上に向けた状態でマイクの収納構造を示す分解斜視図である。
【図１２】図１１の分解状態のマイクカバー、マイクホルダ、マイクを下方から見た斜視図である。
【図１３】マイクの収納構造を示す分解正面図であり、（Ａ）はマイク収納凹部の正面図（マイクカバーの正面図）、（Ｂ）は（Ａ）のマイクカバーを透明化した状態のマイク収納凹部の正面図、（Ｃ）は（Ｂ）のマイクホルダ及びマイクを透明化した状態のマイク収納凹部の正面図である。
【図１４】筐体の内面を示す図であり、（Ａ）はフロントケースの背面図、（Ｂ）リアケースの正面図である。
【図１５】図６のＤ−Ｄ断面図である。
【図１６】音声処理部の回路構成図である。
【図１７】マイクの指向特性を示す正面図である。
【図１８】実施例２の通話装置の正面図である。
【図１９】通話装置の正面を上に向けた状態でマイクの収納構造を示す分解斜視図である。
【図２０】図１９の分解状態のマイクカバー、マイクホルダ、マイク、プレート、クッション材を下方から見た斜視図である。
【図２１】マイクの収納構造を示す分解正面図であり、（Ａ）はマイク収納凹部の正面図（マイクカバーの正面図）、（Ｂ）は（Ａ）のマイクカバーを透明化した状態のマイク収納凹部の正面図、（Ｃ）は（Ｂ）のマイクホルダ及びマイクを透明化した状態のマイク収納凹部の正面図、（Ｄ）は（Ｃ）の取り付けプレート及びクッション材を透明化した状態のマイク収納凹部の正面図である。
【図２２】図１８のＡ−Ａ断面図である。
【図２３】図１８のＢ−Ｂ断面図である。
【図２４】図１８のＣ−Ｃ断面図である。
【図２５】実施例１の図１５に相当する断面図である。
【図２６】実施例３の通話装置の正面図である。
【図２７】通話装置の正面を上に向けた状態でマイクの収納構造を示す分解斜視図である。
【図２８】マイクの収納構造を示す分解正面図であり、（Ａ）はマイク収納凹部の正面図（マイクカバーの正面図）、（Ｂ）は（Ａ）のマイクカバーを透明化した状態のマイク収納凹部の正面図、（Ｃ）は（Ｂ）のマイク前面押え用スポンジを透明化した状態のマイク収納凹部の正面図、（Ｄ）は（Ｃ）のマイク固定用スポンジ、マイク及びマイク背面押え用スポンジを透明化した状態のマイク収納凹部の正面図である。
【図２９】図２６のＡ−Ａ断面図である。
【図３０】図２６のＢ−Ｂ断面図である。
【図３１】実施例１の図１５に相当する断面図である。
【図３２】実施例４の通話装置の正面図である。
【図３３】通話装置の正面を上に向けた状態でマイクの収納構造を示す分解斜視図である。
【図３４】マイクの収納構造を示す分解正面図であり、（Ａ）はマイク収納凹部の正面図（マイクカバーの正面図）、（Ｂ）は（Ａ）のマイクカバーを透明化した状態のマイク収納凹部の正面図、（Ｃ）は（Ｂ）のマイク及びマイクホルダを透明化した状態のマイク収納凹部の正面図である。
【図３５】図３２のＡ−Ａ断面図である。
【図３６】図３２のＢ−Ｂ断面図である。
【図３７】図３２のＣ−Ｃ断面図である。
【図３８】実施例１の図１５に相当する断面図である。
【発明を実施するための形態】
【００１１】
以下、本発明を実施するための形態について、図面を参照しながら、実施例を挙げて説明する。
【実施例１】
【００１２】
図１は、緊急通報システム１の概略構成図を示す。車両２は、緊急通報センタ５と無線通話可能な緊急通報装置１０を搭載し、緊急時には携帯電話機網や公衆電話回線網の基地局３及びネットワーク４を介して緊急通報センタ５と接続し、乗員と緊急通報センタ５のオペレータが通話することができるようになる。そして必要であれば、緊急通報センタ５のオペレータは消防６、警察７又はＪＡＦ８に車両２に急行するように要請する。
【００１３】
図２は、緊急通報装置１０のブロック図を示す。緊急通報装置１０は緊急通報ＥＣＵ１１により制御される。緊急通報ＥＣＵ１１には、ＧＰＳ衛星からの電波により車両２の位置を検出するＧＰＳ受信機１２、エアバックの作動を検出するエアバックスイッチ１３、乗員の操作により緊急通報センタ５との通話を開始する通信開始スイッチ１４、緊急通報センタ５と接続する通信装置１５及び本実施例のスピーカＳＰとマイクＭを同一筐体３０に収納したスピーカ・マイク一体型の緊急通報システム用ハンズフリー通話装置（以下、「通話装置」という。）２０が接続される。
【００１４】
緊急通報ＥＣＵ１１は、ＣＰＵ、ＲＯＭ、ＲＡＭ及び入出力インターフェイスを備えたコンピュータとして構成される。
【００１５】
通信装置１５は例えば音声通話機能付きのデータ通信ユニット又は乗員のスマートホンである。通信装置１５がデータ通信する場合、通信装置１５は例えばＰＰＰプロトコルに従いデータリンクを確立し、上位層であるＴＣＰ／ＩＰプロトコル等によりネットワーク４を介してデータを送受信することができる。これにより、緊急時には予め緊急通報ＥＣＵ１１に登録してある車種、燃料種別、ＧＰＳ受信機１２により取得した車両２の位置情報などの情報を含むデータセットを緊急通報センタ５に自動で送信する。
【００１６】
通信装置１５がスマートホンの場合、緊急通報ＥＣＵ１１と通信装置１５は、有線又は無線により着脱可能に接続される。有線の場合は例えばＵＳＢケーブルで接続され、無線の場合は例えばブルートゥース（登録商標）通信規格により接続される。
【００１７】
緊急通報ＥＣＵ１１は、スイッチなどの入力装置を備え、この入力装置のユーザ操作に応じてオンフック／オフフック命令を通信装置１５に中継し、通信装置１５にオンフック／オフフック動作を行わせる処理を行う。
【００１８】
また、緊急時、エアバックスイッチ１３がエアバックの動作を検出した場合、又は、通信開始スイッチ１３が操作された場合、緊急通報ＥＣＵ１１は予め登録してある電話番号を接続先に設定して緊急通報センタ５に接続する。
【００１９】
通信装置１５は、緊急通報センタ５からネットワーク４を介して受信した受話音声信号を緊急通報ＥＣＵ１１に出力し、緊急通報ＥＣＵ１１から入力する送話音声信号をネットワーク４を介して緊急通報センタ５に送信する。
【００２０】
緊急通報ＥＣＵ１１は、通信装置１５から入力する受話音声信号を通話装置２０に出力し、通話装置２０から入力する送話音声信号を通信装置１５に出力する。
【００２１】
図３は、通話装置２０の設置状態を示す。通話装置２０は、車室内における左右サンバイザ２ａ，２ｂの間の天井中央部２ｃに配置される。図には天井中央部２ｃに配置されたオーバーヘッドコンソール２ｄに組み込んだ例を示してある。オーバーヘッドコンソール２ｄには、内蔵する通話装置２０のスピーカＳＰから出力される受話音声を車室内に放射すると共に乗員が発声する音声を内蔵する通話装置２０のマイクＭで集音するための通音（通気）部２ｅが設けてある。通話装置２０のより具体的な設置状態は後述する。
【００２２】
図４は、通話装置２０の分解斜視図を、図５は、通話装置２０の正面図を、図６は、通話装置２０の側面図を、図７は、図５のＡ−Ａ断面図を、図８は、図５のＢ−Ｂ断面図を、図９は、図５のＣ−Ｃ断面図を、それぞれ、示す。
【００２３】
通話装置２０は、主として、通話装置２０の外郭（本実施例では幅６０ｍｍ×高さ６５ｍｍ×奥行３０ｍｍの箱形状）を形成する筐体３０と、筐体３０に収納されるスピーカＳＰ、マイクＭ、音声処理部１００とで構成される。
【００２４】
筐体３０は、フロントケース４０とリアケース５０とで構成される。フロントケース４０は、絶縁性合成樹脂材を成形することにより形成され、矩形の前面板（正面板）４１と、前面板４１の周縁から後方（背面側）へ立ち上げられた矩形枠状の側壁４２とを有する。リアケース５０は、絶縁性合成樹脂材を成形することにより形成され、矩形の後面板（背面板）５１と、後面板５１の周縁から前方（正面側）へ立ち上げられた矩形枠状の側壁部５２とを有する。そして、フロントケース４０にスピーカＳＰ、マイクＭ、音声処理部１００を取り付け、後述する音声処理部１００を実装したプリント基板１０４から引き出された図示しない接続ケーブルをフロントケース４０の側壁４２に設けたケーブル引き出し孔４３から外部に引き出した状態で、すなわち、通話装置２０の組み立て工程の最後に、フロントケース４０にリアケース５０を接合して固定することにより、筐体３０が組み立てられ、通話装置２０が組み立てられる。フロントケース４０とリアケース５０の固定は、互いの四隅を図示しない４本のタッピングねじにより締結することで行われる。
【００２５】
次に、スピーカＳＰは、筐体３０の正面から通話相手（緊急通報センタ５のオペレータ）の受話音声を出力するもので、図５，図７に示すように、筐体３０の正面、すなわち、フロントケース４０の前面板４１に設けた円形の放音孔４４に対向してその内側に取り付けられる。
【００２６】
スピーカＳＰは、図７に示すように、円筒状の振動系保持部６０ａの後端に振動系保持部６０ａよりも小径な円筒状の磁気回路保持部６０ｂを一体に形成した筒型のフレーム６０を備え、振動系保持部６０ａの前端開口部に外周縁部が固定された直径４０ｍｍのドーム型の振動板６１と、振動板６１の後面に固定された筒状のボビン６２と、ボビン６２の後端に設けられたボイスコイル６３とで、前後方向に振動可能な振動系を構成し、この振動系と磁気回路保持部６０ｂに嵌合固定される磁気回路とで構成される。
【００２７】
磁気回路は、円板状のヨーク６４と、ヨーク６４の中央部に搭載固定された円柱状の内永久磁石６５と、ヨーク６４の外側部に搭載固定され、内永久磁石６５の周囲に所定の隙間を設けて配置された円環状の外永久磁石６６と、内永久磁石６５に搭載固定された円板状の内ポールピース６７と、外永久磁石６６に搭載固定され、内ポールピース６７の周囲に所定の隙間を設けて配置された円環状の外ポールピース６８とで、内，外永久磁石６５，６６の隙間で磁気ギャップ６９を形成した内外磁型に構成され、磁気ギャップ６９にボイスコイル６３が挿入配置される。
【００２８】
そして、フロントケース４０の前面板４１の内面から放音孔４４の周囲に突出して設けたスピーカＳＰ取り付け用の複数の円弧状リブ４５の内側に、フレーム６０の振動系保持部６０ａの前端を嵌合して接着剤により固定することで、スピーカＳＰはそのフレーム６０を介してフロントケース４０に振動板６１の前面を放音孔４４に対向した状態で取り付けられる。
【００２９】
また、ボイスコイル６３から導出された図示しない一対のリード線は後述する音声処理部１００を実装したプリント基板１０４に接続し、音声処理部１００からリード線を介してボイスコイル６３に受話音声信号を入力すると、この受話音声信号の電流と内，外永久磁石６５，６６の磁界によりボイスコイル６３に電磁力が発声するため、ボビン６２が振動板６１を伴って前後方向に振動させられる。このとき、振動板６１から受話音声信号に応じた受話音声が放音孔４４を通して筐体３０の前方へ放射される。すなわち、動電型のスピーカＳＰが構成される。
【００３０】
このように動電型のスピーカＳＰは、磁気回路として内外磁型の磁気回路を備えており、内磁型又は外磁型の磁気回路に比べて、高い音圧レベルを得やすく、緊急時、通話相手（緊急通報センタ５のオペレータ）の受話音声を出力するスピーカＳＰとして好適である。なお、磁気回路は内磁型又は外磁型であってもよい。
【００３１】
ところで、スピーカＳＰは、図５に示すように、通話装置２０を正面から見たとき、スピーカＳＰの中心となる振動板６１の中心Ｏが筐体３０の幅方向の中心線ＣＬ上に位置する位置に配置される。また、放音孔４４は振動板６１と同心位置に配置される。さらに、図５のＡ−Ａ線は中心線ＣＬと一致する。
【００３２】
次に、マイクＭは、筐体３０の正面から音声を集音するもので、図５，図７〜図９に示すように、第１，第２，第３の３つの無指向マイクＭ１，Ｍ２，Ｍ３から構成される。これら第１，第２，第３の無指向マイクＭ１，Ｍ２，Ｍ３（以下、単に「マイクＭ１」，「マイクＭ２」，「マイクＭ３」という。）は、同一の構成を有する。
【００３３】
図１０は、マイクＭ１，Ｍ２，Ｍ３の構成を示す。マイクＭ１，Ｍ２，Ｍ３は、直径４ｍｍ、厚み１．５ｍｍのバックエレクトレット型のエレクトレットコンデンサマイクで構成される。プリント基板７０上に配置したリング７１が真鍮からなる電極７２を支持し、電極７２とプリント基板７０との間には真鍮リング７３が設けられる。さらに、電極７２に対向してテフロン（登録商標）の振動膜７４が配置され、振動膜７４は真鍮リング７５によって支持される。電極７２と振動膜７４との間に形成されたエアーギャップにはスペーサ７６が配置される。そして、プリント基板７０上のケース７７が前記各部を覆うことによって、エレクトレットコンデンサマイクロホンの外郭が構成され、プリント基板７０上に配置したジャンクションＦＥＴ７８を介して増幅された音声信号が出力される。
【００３４】
このようなマイクＭ１，Ｍ２，Ｍ３は、電極７２に近接して平行に振動板７４が配置されており、電極７２は、電荷が閉じ込められた（つまり、帯電した状態）エレクトレット膜で構成される。そして、外部からの音響信号が振動板７４をプリント基板７０と直交する２方向（図１０においては上下方向）に振動させることで、振動板７４と電極７２との間の距離が変動し、振動板７４と電極７２との間の静電容量が音響信号に応じて変化する。したがって、高抵抗を介して振動板７４と電極７２との間に直流電圧を印加すると、音響信号を電圧の変動として取り出すことができる。なお、電極７２は、蒸着等によって金属を貼り付けたプラスチックフィルムや、真鍮等の金属薄膜で形成されて、コロナ放電等によって電荷注入がなされ、半永久的に電荷を蓄える特性を有する。
【００３５】
筐体３０の正面（フロントケース４０の前面板４１の外面）には、図５，図７〜図９に示すように、スピーカＳＰの放音孔４４と共に、その放音孔４４よりも上部においてマイクＭ１，Ｍ２，Ｍ３を収納するマイク収納凹部４６と、マイク収納凹部４６を覆うマイクカバー８０と、マイクカバー８０に設けられた第１，第２，第３の３つの集音孔８１ａ，８１ｂ，８１ｃ（以下、単に「集音孔８１ａ」，「集音孔８１ｂ」，「集音孔８１ｃ」という。）とを設けてある。マイクカバー８０は、絶縁性合成樹脂材を成形することにより形成される。
【００３６】
そして、マイクＭ１，Ｍ２，Ｍ３は、マイク収納凹部４６内において、マイクＭ１，Ｍ２が、筐体３０の幅方向の中心線ＣＬを対称軸とする軸対称の位置に配置され、マイクＭ３が、スピーカＳＰに対してマイクＭ１，Ｍ２よりも近い対称軸上の位置に配置される。ここで、筐体３０の幅方向の中心線ＣＬは、スピーカＳＰの振動板６１の中心Ｏから径方向に延びる１本の線分に相当する。
【００３７】
図１１は、通話装置２０の正面を上に向けた状態でマイクＭ１，Ｍ２，Ｍ３の収納構造を示す分解斜視図、図１２は、分解状態のマイクカバー８０、マイクホルダ９０ａ，９０ｂ，９０ｃ、マイクＭ１，Ｍ２，Ｍ３を下方から見た斜視図を、それぞれ、示す。また、図１３は、マイクＭ１，Ｍ２，Ｍ３の収納構造を示す正面図であり、（Ａ）はマイク収納凹部４６の正面図（マイクカバー８０の正面図）、（Ｂ）は（Ａ）のマイクカバー８０を透明化した状態のマイク収納凹部４６の正面図、（Ｃ）は（Ｂ）のマイクホルダ９０ａ，９０ｂ，９０ｃ、マイクＭ１，Ｍ２，Ｍ３を透明化した状態のマイク収納凹部４６の正面図を、それぞれ、示す。
【００３８】
マイク収納凹部４６は、筐体３０の正面における放音孔４４よりも上部に、矩形板状に形成されたマイクカバー８０が丁度嵌り込む矩形凹部に形成されており、その矩形凹部の底面には、個々のマイクＭ１，Ｍ２，Ｍ３を収納する円形状の凹部からなる第１，第２，第３の３つのマイク収納部４７ａ，４７ｂ，４７ｃ（以下、単に「マイク収納部４７ａ」，「マイク収納部４７ｂ」，「マイク収納部４７ｃ」という。）と、マイクカバー８０の内面から突設された複数のねじ止め用のボス部８２を挿入する複数の凹部４８とを設け、マイク収納部４７ａ，４７ｂ，４７ｃの底面に、マイクＭ１，Ｍ２，Ｍ３のプリント基板７０から導出された図示しないリード線を筐体３０の内面（フロントケース４０の前面板４１の内面）に引き込むための第１，第２，第３の３つのリード孔４９ａ，４９ｂ，４９ｃ（以下、単に「リード孔４９ａ」，「リード孔４９ｂ」，「リード孔４９ｃ」という。）を、また、凹部４８の底面に、ねじ挿通孔４８ａを、それぞれ、設けてある。
【００３９】
ここで、マイクＭ１，Ｍ２，Ｍ３は、マイクＭ１，Ｍ２，Ｍ３の振動板７４がスピーカＳＰの振動板６１の振動方向と同一方向（前後方向）で振動し、マイクＭ１，Ｍ２，Ｍ３の集音面がスピーカＳＰからの音声出力方向と同一方向（前方）に向かって設けられる姿勢で、マイク収納部４７ａ，４７ｂ，４７ｃに収納される。
【００４０】
そして、マイクＭ１，Ｍ２，Ｍ３は、筐体３０の正面側（フロントケース４０の前面板４１の前方）からマイク収納凹部４６のマイク収納部４７ａ，４７ｂ，４７ｃに収納した後、筐体３０の正面側からマイク収納凹部４６にマイクカバー８０を嵌め込み、筐体３０にマイクカバー８０を固定することにより、マイクカバー８０の内面でマイクＭ１，Ｍ２，Ｍ３を押えながら、マイクＭ１，Ｍ２，Ｍ３の集音面に集音孔８１ａ，８１ｂ，８１ｃを対向した状態で、マイク収納凹部４６に保持され、前記の位置に前記の姿勢で配置される。マイクカバー８０の固定は、フロントケース４０の前面板４１の後方から各ねじ挿通孔４８ａを通してマイクカバー８０の各ボス部８２に図示しないタッピングねじをねじ込むことで行われる。
【００４１】
また、マイクＭ１，Ｍ２，Ｍ３の外周に嵌着された状態でマイクＭ１，Ｍ２，Ｍ３と共にマイク収納部４７ａ，４７ｂ，４７ｃに収納され、マイクＭ１，Ｍ２，Ｍ３の外周面とマイク収納部４７ａ，４７ｂ，４７ｃとの間に挟み込まれるゴム弾性材（エラストマ）からなる筒状の第１，第２，第３の３つのマイクホルダ９０ａ，９０ｂ，９０ｃを設けており、筐体３０を介してマイクＭ１，Ｍ２，Ｍ３に伝わるスピーカＳＰからの振動をマイクホルダ９０ａ，９０ｂ，９０ｃで吸収して低減することができる。
【００４２】
図１４は、筐体３０の内面を示す図であり、（Ａ）は、フロントケース４０の背面図、（Ｂ）は、リアケース５０の正面図を、それぞれ、示す。また、図１５は、図６のＤ−Ｄ断面図を示す。
【００４３】
フロントケース４０の前面板４１の内面におけるスピーカ取り付け用の円弧状リブ４５の周囲には、図１４（Ａ），図１５に示すように、ハニカム構造の補強リブ４０ａを設けており、また、リアケース５０の後面板５１の内面にも、ハニカム構造の補強リブ５０ａを設けており、補強リブ４０ａ，５０ａによって筐体３０の剛性を高めることで、筐体３０を介してマイクＭ１，Ｍ２，Ｍ３に伝わるスピーカＳＰからの振動を低減することができる。
【００４４】
図１６は、音声処理部１００の回路構成図を示す。音声処理部１００は、増幅部１０１，ビームフォーマ部１０２、エコーキャンセル部１０３を備えるＩＣで構成され、通信装置１５で受信されて緊急通報ＥＣＵ１１経由で入力された受話音声信号は、増幅部１０１で増幅された後、スピーカＳＰから出力される。また、マイクＭ１，Ｍ２，Ｍ３から入力された各音声信号は、ビームフォーマ部１０２、エコーキャンセル部１０３で後述する信号処理を施された後、緊急通報ＥＣＵ１１経由で通信装置１５に出力され、緊急通報センタ５に送信される。
【００４５】
ビームフォーマ部１０２は、マイクＭ１，Ｍ２に接続され、一方のマイクＭ２の出力をマイクＭ１，Ｍ２の集音面の中心の間の距離Ｘ（本実施例では４３ｍｍ）に応じた時間分遅延させる遅延部１０２ａと、遅延部１０２ａの出力を他方のマイクＭ１の出力と加算する加算部１０２ｂとを備え、図１７に示すように、筐体３０の幅方向の中心線ＣＬとは垂直な２方向（筐体３０の幅方向でマイクＭ１，Ｍ２の配列方向の左右方向）の指向性が強く、筐体３０の幅方向の中心線ＣＬに沿った２方向（筐体３０の高さ方向でスピーカＳＰとマイクＭの間の配列方向の上下方向）の指向性が弱い双指向性１０２ｃを形成する。なお、スピーカＳＰの振動板６１の中心Ｏから、マイクＭ１，Ｍ２の集音面の中心の間を結ぶ直線と筐体３０の幅方向の中心線ＣＬとの交点までの距離は３１．５ｍｍである。
【００４６】
エコーキャンセル部１０３は、マイクＭ３及び加算部１０２ｂに接続され、マイクＭ３の出力をマイクＭ１，Ｍ２の集音面の中心とスピーカＳＰの振動板６１の中心Ｏの間の距離Ｙ１，Ｙ２（Ｙ１＝Ｙ２＝Ｙ）とマイクＭ３の集音面の中心とスピーカＳＰの振動板６１の中心Ｏの間の距離Ｙ３（本実施例では２４ｍｍ）の差（Ｙ−Ｙ３）に応じた時間分遅延させる遅延部１０３ａと、遅延部１０３ａの出力をビームフォーマ部１０２の加算部１０２ｂの出力と加算する加算部１０３ｂとを備え、ビームフォーマ部１０２から出力された音声信号からマイクＭ３から出力された音声信号を除去する。すなわち、ビームフォーマ部１０２の出力に含まれるスピーカＳＰからの音声信号（残留エコー）を除去する。
【００４７】
ところで、音声処理部１００は、プリント基板１０４に実装されて筐体３０に収納される。プリント基板１０４は、図７〜図９に示すように、フロントケース４０に取り付けられ、筐体３０内におけるスピーカＳＰの後端とリアケース５１の後面板５１との隙間に収納される。
【００４８】
そして、通話装置２０は、図３に示すように、車室内における左右サンバイザ２ａ，２ｂの間の天井中央部２ｃに配置されたオーバーヘッドコンソール２ｄ内において、筐体３０の正面（フロントケース４０の前面板４１の外面）が下方に向いてその直下にある通音部２ｅと対向し、筐体３０の前後側面が車両２の前後方向に向いてマイクＭがスピーカＳＰの後方に位置し、筐体３０の幅方向の中心線ＣＬが車両２の前後方向に延びる状態で配置される。
【００４９】
以上のようにして本実施例の通話装置２０では、車室内に設置される筐体３０と、筐体３０に収納され、筐体３０の正面から通話相手の受話音声を出力するスピーカＳＰと、筐体３０に収納され、筐体３０の正面から音声を集音するマイクＭとを備え、マイクＭは、筐体３０の幅方向の中心線ＣＬを対称軸とする軸対称の位置に配置されたマイクＭ１，Ｍ２と、スピーカＳＰに対してマイクＭ１，Ｍ２よりも近い中心線ＣＬ上の位置に配置されたマイクＭ３とで構成され、マイクＭ１，Ｍ３に接続され、中心線ＣＬとは垂直な２方向の指向性が強く、中心線ＣＬに沿った２方向の指向性が弱い双指向性１０２ｃを形成するビームフォーマ部１０２と、ビームフォーマ部１０２とマイクＭ３に接続され、ビームフォーマ部１０２から出力された音声信号からマイクＭ３から出力された音声信号を除去するエコーキャンセル部１０３とを設けた音声処理部１００をさらに備える。
【００５０】
そして、音声処理部１００は、マイクＭ１，Ｍ２に接続されたビームフォーマ部１０２によって中心線ＣＬとは垂直な２方向の指向性が強く、中心線ＣＬに沿った２方向の指向性が弱い双指向性１０２ｃを形成するので、すなわち、マイクＭ１，Ｍ２のスピーカＳＰ方向の指向性を弱めるので、スピーカＳＰからマイクＭ１，Ｍ２に回り込むエコーを低減することができる。さらに、音声処理部１００は、ビームフォーマ部１０２とマイクＭ３に接続されたエコーキャンセル部１０３によってビームフォーマ部１０２から出力された音声信号からマイクＭ３から出力された音声信号を除去するので、乗員が発声した音声のみを高品質に抽出することができる。
【００５１】
よって、マイクＭへのスピーカＳＰの影響を低減しながら、スピーカＳＰとマイクＭを同一筐体３０に収納したスピーカ・マイク一体型の緊急通報システム用ハンズフリー通話装置を実現することができる。
【００５２】
また、筐体３０は、車室内における左右サンバイザ２ａ，２ｂの間の天井中央部２ｃにおいて、筐体３０の正面が下方に向き、マイクＭがスピーカＳＰの後方に位置し、中心線ＣＬが車両２の前後方向に延びる状態で配置される。これにより、車室内における左右サンバイザ２ａ，２ｂの間の天井中央部２ｃから見て、前後方向の指向性が弱まり、左右方向の指向性が強まるので、運転席および助手席の乗員の音声を集音することができる。
【００５３】
また、筐体３０の正面には、スピーカＳＰの振動板６１に対向する位置に設けられた放音孔４４と、マイクＭを収納するマイク収納凹部４６と、マイク収納凹部４６を覆うマイクカバー８０と、マイクカバー８０に設けられた集音孔８１ａ，８１ｂ，８１ｃとを設ける。これにより、マイクＭは、筐体３０の正面側からマイク収納凹部４６に収納することができるので、組み立てが簡単になる。
【００５４】
また、マイク収納凹部４６には、マイクＭ１，Ｍ２，Ｍ３を個別に収納するマイク収納部４７ａ，４７ｂ，４７ｃを設ける。これにより、マイクＭ１，Ｍ２，Ｍ３の位置決めを容易に行うことができる。
【００５５】
また、マイクＭ１，Ｍ２，Ｍ３の外周に嵌着された状態でマイクＭ１，Ｍ２，Ｍ３と共にマイク収納部４７ａ，４７ｂ，４７ｃに収納され、マイクＭ１，Ｍ２，Ｍ３の外周面とマイク収納４７ａ，４７ｂ，４７ｃの内周面との間に挟み込まれるゴム弾性材からなるマイクホルダ９０ａ，９０ｂ，９０ｃを設ける。これにより、筐体３０を介してマイクＭ１，Ｍ２，Ｍ３に伝わるスピーカＳＰからの振動をマイクホルダ９０ａ，９０ｂ，９０ｃによって低減することができる。
【００５６】
さらに、筐体３０を介してマイクＭ１，Ｍ２，Ｍ３に伝わるスピーカＳＰからの振動を低減するための他の構造について、以下、実施例２〜４により説明する。
【実施例２】
【００５７】
図１８は、実施例２の通話装置２００の正面図を、図１９は、通話装置２００の正面を上に向けた状態でマイクＭ１，Ｍ２，Ｍ３の収納構造を示す分解斜視図を、図２０は、図１９の分解状態のマイクカバー２８０、マイクホルダ９０ａ，９０ｂ，９０ｃ、マイクＭ１，Ｍ２，Ｍ３、取り付けプレート２０３、クッション材２０２を下方から見た斜視図を、図２１は、マイクＭ１，Ｍ２，Ｍ３の収納構造を示す分解正面図であり、（Ａ）はマイク収納凹部２４６の正面図（マイクカバー２８０の正面図）を、（Ｂ）は（Ａ）のマイクカバー２８０を透明化した状態のマイク収納凹部２４６の正面図を、（Ｃ）は（Ｂ）のマイクホルダ９０ａ，９０ｂ，９０ｃ及びマイクＭ１，Ｍ２，Ｍ３を透明化した状態のマイク収納凹部２４６の正面図を、（Ｄ）は（Ｃ）のプレート２０３及びクッション材２０２を透明化した状態のマイク収納凹部２４６の正面図を、図２２は、図１８のＡ−Ａ断面図を、図２３は、図１８のＢ−Ｂ断面図を、図２４は、図１８のＣ−Ｃ断面図を、それぞれ、示す。また、通話装置２００の側面図は、実施例１の図６に示した側面図と同一である。そして、図２５は、実施例１の図１５（図６のＤ−Ｄ断面図）に相当する断面図である。
【００５８】
本実施例のスピーカＳＰとマイクＭを同一筐体３０に収納したスピーカ・マイク一体型の緊急通報システム用ハンズフリー通話装置（以下、「通話装置」という。）２００では、マイクカバー２８０は、マイク収納凹部２４６に嵌め込んだとき、筐体３０に接触しないように、マイク収納凹部２４６の開口形状より一回り小さい矩形に形成されて周囲に隙間２０１を設ける。そして、マイクＭ１，Ｍ２，Ｍ３はマイクカバー２８０に取り付け、マイクカバー２８０のマイク収納凹部２４６への固定を、両面に粘着性を設けたクッション材２０２で行う。これにより、筐体３０を介してマイクＭ１，Ｍ２，Ｍ３に伝わるスピーカＳＰからの振動をクッション材２０２によって低減する。
【００５９】
また、マイクＭ１，Ｍ２，Ｍ３のマイクカバー２８０への取り付けは、マイクカバー２８０の背面側に所定の間隔を設けて平行に固定する取り付けプレート２０３を設け、マイクカバー２８０と取り付けプレート２０３との間にマイクＭ１，Ｍ２，Ｍ３を挟むことで行う。取り付けプレート２０３は、絶縁性合成樹脂材を成形することにより形成される。
【００６０】
マイクカバー２８０の内面において、マイクカバー２８０に設けられた３つの第１，第２，第３の３つの集音孔２８１ａ，２８１ｂ，２８１ｃ（以下、単に「集音孔２８１ａ」，「集音孔２８１ｂ」，「集音孔２８１ｃ」という。）に対応する３つの位置には、第１，第２，第３の３つの円柱型のボス部２８２ａ，２８２ｂ，２８２ｃ（以下、単に、「ボス部２８２ａ」，「ボス部２８２ｂ」，「ボス部２８２ｃ」という。）が突設されており、各ボス部２８２ａ，２８２ｂ，２８２ｃの軸方向の後端面には、円状の凹部からなる第１，第２，第３の３つのマイク収納部２４７ａ，２４７ｂ，２４７ｃ（以下、単に、「マイク収納部２４７ａ」、「マイク収納部２４７ｂ」、「マイク収納部２４７ｃ」という。）が設けられる。また、マイクカバー２８０の内面には、複数の位置決めピン２０４及びねじ止め用の複数のボス部２０５が突設される。
【００６１】
一方、マイクカバー２８０の内面に対向する取り付けプレート２０３の前面において、マイク収納部２４７ａ，２４７ｂ，２４７ｃに対向する３つの位置には、第１，第２，第３の３つの円状の凸部からなるマイク押え部２０６ａ，２０６ｂ，２０６ｃ（以下、単に、「マイク押え部２０６ａ」，「マイク押え部２０６ｂ」，「マイク押え部２０６ｃ」という。）が突設される。また、取り付けプレート２０３には、各位置決めピン２０４に対応する複数の位置決め孔２０７及びねじ止め用の各ボス部２０５に対応する複数のねじ挿通孔２０８が設けられる。
【００６２】
そして、マイクＭ１，Ｍ２，Ｍ３をマイクカバー２８０のマイク収納部２４７ａ，２４７ｂ，２４７ｃに収納した後、マイクカバー２８０の背面側に取り付けプレート２０３を所定の間隔を設けて平行に固定することにより、マイクＭ１，Ｍ２，Ｍ３は、取り付けプレート２０３のマイク押え部２０６ａ，２０６ｂ，２０６ｃの端面によって押えられ、マイクＭ１，Ｍ２，Ｍ３の集音面をマイクカバー２８０の集音孔２８１ａ，２８１ｂ，２８１ｃに対向した状態で、マイクカバー２８０のマイク収納部２４７ａ，２４７ｂ，２４７ｃに保持される。ここで、マイクＭ１，Ｍ２，Ｍ３は、その外周にマイクホルダ９０ａ，９０ｂ，９０ｃを嵌着した状態で、マイクカバー２８０のマイク収納部２４７ａ，２４７ｂ，２４７ｃに収納する。また、取り付けプレート２０３のマイクカバー２８０への固定は、取り付けプレート２０３の各位置決め孔２０７にマイクカバー２８０の各位置決めピン２０４を嵌合した位置決め状態で、取り付けプレート２０３の背面側から各ねじ挿通孔２０８を通してマイクカバー２８０の各ボス部２０５に図示しないタッピングねじをねじ込むことで行う。
【００６３】
また、このようにマイクＭ１，Ｍ２，Ｍ３をマイクカバー２８０に取り付けた後、筐体３０の正面側（フロントケース４０の前面板４１の前方）からマイク収納凹部２４６にマイクカバー２８０を嵌め込み、筐体３０にマイクカバー８０を固定することにより、マイクＭ１，Ｍ２，Ｍ３は、筐体３０のマイク収納凹部４６において、実施例１と同じ位置に同じ姿勢で収納配置される。
【００６４】
マイク収納凹部２４６の周壁部の上部中央部及び下部両端部の３つの位置には、マイクカバー２８０をマイク収納凹部２４６に嵌め込んだとき、マイクカバー２８０の内面の外側縁部を当接させ、マイクカバー２８０の外面が筐体３０の正面と面一になる状態で、マイクカバー２８０をマイク収納凹部２４６の開口部に支持するための幅一定なカバー当たり部２０９が突設されており、各カバー当たり部２１１の前端面に幅一定なテープ状で両面に粘着性を設けたクッション材２０２が貼着されている。クッション材２０２は、例えば幅一定なテープ状のスポンジ基材の両面に両面粘着テープを貼着する又は粘着剤を塗布して粘着層を形成することで形成される。
【００６５】
そして、マイクＭ１，Ｍ２，Ｍ３をマイクカバー２８０に取り付けた後、筐体３０の正面側からマイク収納凹部２４６にマイクカバー２８０を嵌め込むと、マイクカバー２８０の内面の外側縁部がクッション材２０２に接着されるので、マイクカバー２８０のマイク収納凹部２４６への固定がクッション材２０２で行われ、また、マイクカバー２８０が筐体３０に直接接触していないので、筐体３０を介してマイクＭ１，Ｍ２，Ｍ３に伝わるスピーカＳＰからの振動が低減する。
【００６６】
また、取り付けプレート２０３は、マイクカバー２８０と一体的にマイク収納凹部２４６に嵌め込んだとき、筐体３０に接触しないように、マイクカバー２８０と同じ矩形に形成される。さらに、マイクカバー２８０の外縁にはカバー当たり部２０９との干渉（接触）を防止する切り欠き部２１０を設けてある。
【００６７】
また、取り付けプレート２０３のマイク押え部２０６ａ，２０６ｂ，２０６ｃには、マイクＭ１，Ｍ２，Ｍ３のリード線を取り付けプレート２０３の背面側の収納凹部２４６の底部に引き出すための第１，第２，第３の３つのリード孔２１１ａ，２１１ｂ，２１１ｃ（以下、単に「リード孔２１１ａ」，「リード孔２１１ｂ」，「リード孔２１０ｃ」という。）が設けられ、取り付けプレート２０３の背面に対向するマイク収納凹部２４６の底面には、リード孔２１１ａ，２１１ｂ，２１１ｃに対向して、マイクＭ１，Ｍ２，Ｍ３のリード線を筐体３０の内面（フロントケース４０の前面板４１の内面）に引き込むための第１，第２，第３の３つのリード孔２４９ａ，２４９ｂ，２４９ｃを設けてある。
【００６８】
以上のようにして本実施例の通話装置２００では、マイクカバー２８０に、マイクＭ１，Ｍ２，Ｍ３を個別に収納するマイク収納部２４７ａ，２４７ｂ，２４７ｃを、マイクカバー２８０の内面から突出した状態で設け、マイクカバー２８０のマイク収納凹部２４６への固定用に、両面に粘着性を設けたクッション材２０２を設け、マイク収納凹部２４６とマイクカバー２８０の間に隙間２０１を設ける。これにより、筐体３０を介してマイクＭ１，Ｍ２，Ｍ３に伝わるスピーカＳＰからの振動をクッション材２０２によって低減することができる。
【実施例３】
【００６９】
図２６は、実施例３の通話装置３００の正面図を、図２７は、通話装置３００の正面を上に向けた状態でマイクＭ１，Ｍ２，Ｍ３の収納構造を示す分解斜視図を、図２８は、マイクＭ１，Ｍ２，Ｍ３の収納構造を示す分解正面図であり、（Ａ）はマイク収納凹部３４６の正面図（マイクカバー３８０の正面図）を、（Ｂ）は（Ａ）のマイクカバー３８０を透明化した状態のマイク収納凹部３４６の正面図を、（Ｃ）は（Ｂ）のマイク前面押え用スポンジ３０３を透明化した状態のマイク収納凹部３４６の正面図を、（Ｄ）は（Ｃ）のマイク固定用スポンジ３０１、マイクＭ１，Ｍ２，Ｍ３及びマイク背面押え用スポンジ３０２を透明化した状態のマイク収納凹部３４６の正面図を、図２９は、図２６のＡ−Ａ断面図を、図３０は、図２６のＢ−Ｂ断面図を、それぞれ、示す。また、通話装置３００の側面図は、実施例１の図６に示した側面図と同一である。そして、図３１は、実施例１の図１５（図６のＤ−Ｄ断面図）に相当する断面図である。
【００７０】
本実施例のスピーカＳＰとマイクＭを同一筐体３０に収納したスピーカ・マイク一体型の緊急通報システム用ハンズフリー通話装置（以下、「通話装置」という。）３００では、通気性を有すると共にマイク収納凹部３４６と略同じ外形状に形成されてマイク収納凹部３４６に自由状態で嵌合可能なクッション材であるブロック状のマイク固定（位置決め）用スポンジ３０１を設け、このマイク固定スポンジ３０１に、マイクＭ１，Ｍ２，Ｍ３と略同じ直径を有して自由状態でマイクＭ１，Ｍ２，Ｍ３を個別に収納可能な円形の貫通孔からなる第１，第２，第３の３つのマイク収納部３４７ａ，３４７ｂ，３４７ｃ（以下、単に、「マイク収納部３４７ａ」、「マイク収納部３４７ｂ」、「マイク収納部３４７ｃ」という。）を設ける。これにより、筐体３０を介してマイクＭ１，Ｍ２，Ｍ３に伝わるスピーカＳＰからの振動をマイク固定用スポンジ３０１によって低減する。
【００７１】
また、マイクＭ１，Ｍ２，Ｍ３と略同じ直径を有して自由状態でマイク収納部３４７ａ，３４７ｂ，３４７ｃにマイクＭ１，Ｍ２，Ｍ３より先に収納され、マイクＭ１，Ｍ２，Ｍ３の背面を押える円柱状のマイク背面押え用スポンジ３０２と、マイク収納凹部３４６と略同じ外形状に形成されてマイク固定用スポンジ３０１の前面に重ね合わされ、マイクＭ１，Ｍ２，Ｍ３の集音面（前面）を押える板状のマイク前面押え用スポンジ３０３とを設けてある。
【００７２】
そして、マイクＭ１，Ｍ２，Ｍ３をマイク収納凹部３４６に収納するには、筐体３０の正面側（フロントケース４０の前面板４１の前方）からマイク収納凹部３４６にマイク固定用スポンジ３０１を嵌め込み、このマイク固定用スポンジ３０１のマイク収納部３４７ａ，３４７ｂ，３４７ｃにマイク背面押え用スポンジ３０２を嵌め込んだ後、同マイク収納部３４７ａ，３４７ｂ，３４７ｃにマイクＭ１，Ｍ２，Ｍ３を収納する。そして、マイク固定用スポンジ３０１の前面にマイク前面押え用スポンジ３０３を重ね合わせた後、筐体３０の正面側からマイク収納凹部３４６にマイクカバー３８０を嵌め込み、筐体３０にマイクカバー３８０を固定することにより、マイクＭ１，Ｍ２，Ｍ３は、筐体３０のマイク収納凹部３４６において、実施例１と同じ位置に同じ姿勢で収納配置される。
【００７３】
また、マイク収納凹部３４６の周壁部には、マイクカバー３８０を筐体３０の正面側からマイク収納凹部３４６に嵌め込んだとき、マイクカバー３８０の内面の外側縁部を当接させ、マイクカバー３８０の外面が筐体３０の正面と面一になる状態で、マイクカバー３８０をマイク収納凹部３４６の開口部に支持するためのカバー当たり部３０４が突設されており、マイクカバー３８０の固定は、カバー当たり部３０１の前端面に貼着された図示しない両面粘着テープで行われる。
【００７４】
また、マイクカバー３８０には、その外側縁部を除く部分に多数の小孔からなる集音孔３８１が設けられる。
【００７５】
また、マイク収納凹部３４６の底面には、マイク背面押え用スポンジ３０２の後端面に対向して、マイクＭ１，Ｍ２，Ｍ３のリード線を筐体３０の内面（フロントケース４０の前面板４１の内面）に引き込むための第１，第２，第３の３つのリード孔３４９ａ，３４９ｂ，３４９ｃを設けてある。
【００７６】
以上のようにして本実施例の通話装置３００では、マイク収納凹部３４６に嵌合可能な通気性を有するマイク固定用スポンジ３０１を設け、マイク固定用スポンジ３０１に、マイクＭ１，Ｍ２，Ｍ３を個別に収納するマイク収納部３４７ａ，３４７ｂ，３４７ｃを設ける。これにより、筐体３０を介してマイクＭ１，Ｍ２，Ｍ３に伝わるスピーカＳＰからの振動をマイク固定用スポンジ３０１によって低減することができる。
【実施例４】
【００７７】
図３２は、実施例４の通話装置４００の正面図を、図３３は、通話装置４００の正面を上に向けた状態でマイクＭ１，Ｍ２，Ｍ３の収納構造を示す分解斜視図を、図３４は、マイクＭ１，Ｍ２，Ｍ３の収納構造を示す分解正面図であり、（Ａ）はマイク収納凹部４４６の正面図（マイクカバー４８０の正面図）を、（Ｂ）は（Ａ）のマイクカバー３８０を透明化した状態のマイク収納凹部３４６の正面図を、（Ｃ）は（Ｂ）のマイクＭ１，Ｍ２，Ｍ３及びマイクホルダ９０ａ，９０ｂ，９０ｃを透明化した状態のマイク収納凹部４４６の正面図を、図３５は、図３２のＡ−Ａ断面図を、図３６は、図３２のＢ−Ｂ断面図を、図３７は、図３２のＣ−Ｃ断面図を、それぞれ、示す。また、通話装置４００の側面図は、実施例１の図６に示した側面図と略同一である。そして、図３８は、実施例１の図１５（図６のＤ−Ｄ断面図）に相当する断面図である。
【００７８】
実施例１〜３の通話装置２０，２００，３００では、マイクＭ１，Ｍ２，Ｍ３は、その振動板７４がスピーカＳＰの振動板６１の振動方向（前後方向）と同一方向で振動する状態で設置、すなわち、マイクＭ１，Ｍ２，Ｍ３の集音面（前面）を筐体３０の正面に向けた状態でマイク収納凹部４６，２４６，３４６のマイク収納部４７ａ，４７ｂ，４７ｃ、２４７ａ，２４７ｂ，２４７ｃ、３４７ａ，３４７ｂ，３４７ｃに収納して設置したが、本実施例のスピーカＳＰとマイクＭを同一筐体３０に収納したスピーカ・マイク一体型の緊急通報システム用ハンズフリー通話装置（以下、「通話装置」という。）４００では、マイクＭ１，Ｍ２，Ｍ３は、その振動板７４がスピーカＳＰの振動板６１の振動方向とは垂直方向（左右方向や上下方向）で振動する状態で設置、すなわち、マイクＭ１，Ｍ２，Ｍ３の側面を筐体３０の正面に向けた状態でマイク収納凹部４４６に収納して設置する。これにより、筐体３０を介してマイクＭ１，Ｍ２，Ｍ３に伝わるスピーカＳＰからの振動によるマイクＭ１，Ｍ２，Ｍ３への影響を低減する。
【００７９】
マイク収納凹部４４６は、筐体３０の正面における放音孔４４よりも上部に、矩形板状に形成されたマイクカバー４８０が丁度嵌り込む矩形凹部に形成されており、その矩形凹部の底面には、個々のマイクＭ１，Ｍ２，Ｍ３をこれに外嵌されたマイクホルダ９０ａ，９０ｂ，９０ｃと共に収納する矩形状（筐体３０を正面から見たときの形状）の凹部からなる第１，第２，第３の３つのマイク収納部４４７ａ，４４７ｂ，４４７ｃ（以下、単に「マイク収納部４４７ａ」，「マイク収納部４４７ｂ」，「マイク収納部４４７ｃ」という。）と、マイク収納部４４７ａ，４４７ｂ，４４７ｃの一側面に形成された矩形状（筐体３０を正面から見たときの形状）の凹部からなる第１，第２，第３の３つの音道３０１ａ，３０１ｂ，３０１ｃとを設け、マイク収納部４４７ａ，４４７ｂ，４４７ｃの底面に、マイクＭ１，Ｍ２，Ｍ３のプリント基板７０から導出された図示しないリード線を筐体３０の内面（フロントケース４０の前面板４１の内面）に引き込むための第１，第２，第３の３つのリード孔４４９ａ，４４９ｂ，４４９ｃを設けてある。また、マイクカバー４８０の集音孔４８１ａ，４８１ｂ，４８１ｃは、音道３０１ａ，３０１ｂ，３０１ｃに対向する３つの位置に設けてある。
【００８０】
また、ビームフォーミング用のマイクＭ１，Ｍ２を収容するマイク収納部４４７ａ，４４７ｂは、その音道３０１ａ，３０１ｂを形成する一側面が筐体３０の幅方向（左右方向）で対向するように形成されており、マイクＭ１，Ｍ２をその集音面が筐体３０の幅方向で対向するように収納する。一方、エコーキャンセル用のマイクＭ３を収納するマイク収納部４４７ｃは、その音道３０１ｃを形成する一側面がスピーカＳＰと反対側（上方）に向くように形成されており、マイクＭ３をその背面がスピーカＳＰ側（下方）に向くように収納する。
【００８１】
そして、マイクＭ１，Ｍ２，Ｍ３はこれに外嵌されたマイクホルダ９０ａ，９０ｂ，９０ｃと共に、筐体３０の正面側（フロントケース４０の前面板４１の前方）からマイク収納凹部４４６のマイク収納部４４７ａ，４４７ｂ，４４７ｃに収納した後、筐体３０の正面側からマイク収納凹部４４６にマイクカバー４８０を嵌め込み、筐体３０にマイクカバー４８０を固定することにより、マイクカバー４８０の内面でマイクＭ１，Ｍ２，Ｍ３を押えながら、音道３０１ａ，３０１ｂ，３０１ｃに集音孔８１ａ，８１ｂ，８１ｃを対向した状態で、マイク収納凹部４４６に保持され、実施例１と同位置に配置される。マイクカバー４８０のマイク収納凹部４４６への固定は、マイクカバー４８０の内面に図示しない両面粘着テープで行われる。
【００８２】
以上のようにして本実施例の通話装置４００では、マイクＭ１，Ｍ２，Ｍ３は、その振動板７４がスピーカＳＰの振動板６１の振動方向とは垂直方向（左右方向や上下方向）で振動する状態で設置する。これにより、筐体３０を介してマイクＭ１，Ｍ２，Ｍ３に伝わるスピーカＳＰからの振動によるマイクＭ１，Ｍ２，Ｍ３への影響を低減することができる。
【符号の説明】
【００８３】
ＳＰ  スピーカ
Ｍ１，Ｍ２，Ｍ３  マイク
ＣＬ  筐体の幅方向の中心線
Ｏ  振動板の中心
１  緊急通報システム
２  車両
２ａ，２ｂ  左右サンバイザ
２ｃ  天井中央部
２０  通話装置
３０  筐体
４４  放音孔
４６  マイク収納凹部
４７ａ，４７ｂ，４７ｃ  マイク収納部
６１  振動板
８０  マイクカバー
８１ａ，８１ｂ，８１ｃ  集音孔
９０ａ，９０ｂ，９０ｃ  マイクホルダ
１００  音声処理部
１０２  ビームフォーマ部
１０３  エコーキャンセル部
【図１】
2018014588.tif 000003
【図２】
2018014588.tif 000004
【図３】
2018014588.tif 000005
【図４】
2018014588.tif 000006
【図５】
2018014588.tif 000007
【図６】
2018014588.tif 000008
【図７】
2018014588.tif 000009
【図８】
2018014588.tif 000010
【図９】
2018014588.tif 000011
【図１０】
2018014588.tif 000012
【図１１】
2018014588.tif 000013
【図１２】
2018014588.tif 000014
【図１３】
2018014588.tif 000015
【図１４】
2018014588.tif 000016
【図１５】
2018014588.tif 000017
【図１６】
2018014588.tif 000018
【図１７】
2018014588.tif 000019
【図１８】
2018014588.tif 000020
【図１９】
2018014588.tif 000021
【図２０】
2018014588.tif 000022
【図２１】
2018014588.tif 000023
【図２２】
2018014588.tif 000024
【図２３】
2018014588.tif 000025
【図２４】
2018014588.tif 000026
【図２５】
2018014588.tif 000027
【図２６】
2018014588.tif 000028
【図２７】
2018014588.tif 000029
【図２８】
2018014588.tif 000030
【図２９】
2018014588.tif 000031
【図３０】
2018014588.tif 000032
【図３１】
2018014588.tif 000033
【図３２】
2018014588.tif 000034
【図３３】
2018014588.tif 000035
【図３４】
2018014588.tif 000036
【図３５】
2018014588.tif 000037
【図３６】
2018014588.tif 000038
【図３７】
2018014588.tif 000039
【図３８】
2018014588.tif 000040